(57)【要約】【課題】異常が発生した端末機器および通信路を表示することができる機器異常表示システムを提供すること。【解決手段】通信路１０５に接続された端末機器１０１は、応答信号によって応答する応答手段１０４を備え、管理装置１１１は、端末機器の情報を登録した端末リストデータを記憶する端末リスト記憶手段１１３と、端末リストデータに登録された端末機器の稼働状態を検出する稼働状態検出手段１１２と、稼働状態のデータを表示する表示手段１１５とを備える構成とすることにより、異常が発生した端末機器１０１および通信路１０５を表示させるようにした。【選択図】          図１
2004260702.tif 000002
【特許請求の範囲】
【請求項１】
通信路に接続された端末機器と、前記通信路を介して前記端末機器を管理する管理装置とを有し、前記端末機器は、識別情報を記憶する識別情報記憶手段と、前記管理装置から送信された呼出信号を受信したとき、応答信号によって前記管理装置に応答する応答手段とを備え、前記管理装置は、前記識別情報を含む前記端末機器の情報を登録した端末リストデータを記憶する端末リスト記憶手段と、前記端末リストデータに登録された前記端末機器の稼働状態を前記応答信号によって検出する稼働状態検出手段と、前記稼働状態を表示する表示手段とを備えたことを特徴とする機器異常表示システム。
【請求項２】
通信路に接続された端末機器と、前記通信路を介して前記端末機器を管理する管理装置と、ネットワークを介して前記管理装置と通信するサーバとを有し、前記端末機器は、識別情報を記憶する識別情報記憶手段と、前記管理装置から送信された呼出信号を受信したとき、応答信号によって前記管理装置に応答する応答手段とを備え、前記管理装置は、前記識別情報を含む前記端末機器の情報を登録した端末リストデータを記憶する端末リスト記憶手段と、前記端末リストデータに登録された前記端末機器の稼働状態を前記応答信号によって検出する稼働状態検出手段と、前記稼働状態のデータを前記サーバに送信する送信手段とを備え、前記サーバは、前記ネットワークを介して前記管理装置と通信する通信手段と、前記稼働状態を表示する表示手段とを備えたことを特徴とする機器異常表示システム。
【請求項３】
前記管理装置は、前記稼働状態を表示する表示手段を備えたことを特徴とする請求項２に記載の機器異常表示システム。
【請求項４】
前記端末機器および前記管理装置の少なくとも一方は、前記端末リストデータを編集する端末リスト編集手段を備えたことを特徴とする請求項１から請求項３までの何れかに記載の機器異常表示システム。
【請求項５】
前記端末機器は、前記識別情報を前記通信路に送信する識別情報送信手段を備えたことを特徴とする請求項１から請求項４までの何れかに記載の機器異常表示システム。
【請求項６】
請求項１乃至請求項５の何れかに記載の前記端末機器および前記管理装置を備え、前記端末機器は、集合住宅の各住戸に設置され、前記管理装置は、前記集合住宅の各住戸に設置された前記端末機器の前記稼働状態を検出するようにしたことを特徴とする集合住宅管理装置の機器異常表示システム。
【請求項７】
請求項２乃至請求項５の何れかに記載のサーバを備え、前記サーバの前記表示手段は、前記集合住宅の各住戸に設置された前記端末機器の前記稼働状態を表示するようにしたことを特徴とする請求項６に記載の集合住宅管理装置の機器異常表示システム。
【発明の詳細な説明】
【０００１】
【発明の属する技術分野】
本発明は、機器異常表示システムに関し、さらに詳しくは、異常を起こした端末機器を検出し、検出した結果を表示する機器異常表示システムに関する。
【０００２】
【従来の技術】
従来の機器異常表示システムとしては、図１７に示すようなものが知られている。図１７に示された従来の機器異常表示システムは、マンションの各住戸の住戸設備１と、各住戸に設置され住戸設備１の異常を検出する住戸機（以下、端末機器という。）２と、集合住宅の玄関に設定された集合玄関機３と、端末機器２および集合玄関機３が接続された管理室機４と、管理室機４から送信される情報によってマンションの管理を行う外部センタ５とを備えている。
【０００３】
従来の機器異常表示システムは、ある住戸に設置された住戸設備１に異常が発生したとき、端末機器２が異常を検出するとともに、通信路を介して異常発生の情報を管理室機４に送信し、管理室機４が異常発生の情報を外部センタ５に通知できるようになっている（例えば、特許文献１参照）。
【０００４】
【特許文献１】
特開平６−２８５８４号公報（第２−３頁、第１図）
【０００５】
【発明が解決しようとする課題】
しかしながら、このような従来の機器異常表示システムでは、端末機器２または端末機器２から管理室機４までの通信路に異常が発生した場合は、管理室機４から外部センタ５に異常発生の情報が送信できないので、外部センタ５は、住戸設備１に異常が発生した情報を取得できず、マンションの管理が的確にできないという問題があった。
【０００６】
また、マンションには、多数の端末機器２が備えられ、各端末機器２と管理室機４とが通信路で接続されているので、端末機器２または通信路に異常が発生した場合は、異常が発生した端末機器２または通信路を特定するのに多大な時間を要するという問題があった。
【０００７】
また、複数の端末機器２または複数の通信路が同時に異常を起こした場合は、異常個所の発見はさらに困難になり、膨大な時間を要するという問題があった。
【０００８】
本発明は、このような問題を解決するためになされたものであり、異常が発生した端末機器および通信路を迅速に検出し、検出した結果を表示することができる機器異常表示システムを提供するものである。
【０００９】
【課題を解決するための手段】
本発明の機器異常表示システムは、通信路に接続された端末機器と、前記通信路を介して前記端末機器を管理する管理装置とを有し、前記端末機器は、識別情報を記憶する識別情報記憶手段と、前記管理装置から送信された呼出信号を受信したとき、応答信号によって前記管理装置に応答する応答手段とを備え、前記管理装置は、前記識別情報を含む前記端末機器の情報を登録した端末リストデータを記憶する端末リスト記憶手段と、前記端末リストデータに登録された前記端末機器の稼働状態を前記応答信号によって検出する稼働状態検出手段と、前記稼働状態を表示する表示手段とを備えたことを特徴とする構成を有している。
【００１０】
この構成により、表示手段は、稼働状態検出手段によって検出された端末機器の稼働状態を表示するので、異常が発生した端末機器および通信路を迅速に検出し、検出した結果を表示することができる。
【００１１】
また、本発明の機器異常表示システムは、通信路に接続された端末機器と、前記通信路を介して前記端末機器を管理する管理装置と、ネットワークを介して前記管理装置と通信するサーバとを有し、前記端末機器は、識別情報を記憶する識別情報記憶手段と、前記管理装置から送信された呼出信号を受信したとき、応答信号によって前記管理装置に応答する応答手段とを備え、前記管理装置は、前記識別情報を含む前記端末機器の情報を登録した端末リストデータを記憶する端末リスト記憶手段と、前記端末リストデータに登録された前記端末機器の稼働状態を前記応答信号によって検出する稼働状態検出手段と、前記稼働状態のデータを前記サーバに送信する送信手段とを備え、前記サーバは、前記ネットワークを介して前記管理装置と通信する通信手段と、前記稼働状態を表示する表示手段とを備えたことを特徴とする構成を有している。
【００１２】
この構成により、送信手段は、稼働状態のデータをサーバに送信し、サーバの表示手段は、稼働状態検出手段によって検出された端末機器の稼働状態を表示するので、管理装置から遠く離れた場所からでも異常が発生した端末機器および通信路を迅速に検出し、検出した結果を表示することができる。
【００１３】
また、本発明の機器異常表示システムは、前記管理装置は、前記稼働状態を表示する表示手段を備えたことを特徴とする構成を有している。
【００１４】
この構成により、表示手段は、稼働状態を表示するので、異常が発生した端末機器および通信路を迅速に検出し、検出した結果を表示することができる。
【００１５】
また、本発明の機器異常表示システムは、前記端末機器および前記管理装置の少なくとも一方は、前記端末リストデータを編集する端末リスト編集手段を備えたことを特徴とする構成を有している。
【００１６】
この構成により、端末リスト編集手段は、端末リストデータを編集するので、利用者は、例えば、端末機器を増設したとき、端末リスト編集手段によって端末リストを編集することができる。
【００１７】
また、本発明の機器異常表示システムは、前記端末機器は、前記識別情報を前記通信路に送信する識別情報送信手段を備えたことを特徴とする構成を有している。
【００１８】
この構成により、識別情報送信手段は、識別情報を通信路に送信するので、稼働状態検出手段は、識別情報を受信し、この識別情報によって端末機器を識別することができる。
【００１９】
また、本発明の機器異常表示システムは、端末機器および管理装置を備え、前記端末機器は、識別情報を記憶する識別情報記憶手段と、前記管理装置から送信された呼出信号を受信したとき、応答信号によって前記管理装置に応答する応答手段とを備え、前記管理装置は、前記識別情報を含む前記端末機器の情報を登録した端末リストデータを記憶する端末リスト記憶手段と、前記端末リストデータに登録された前記端末機器の稼働状態を前記応答信号によって検出する稼働状態検出手段と、前記稼働状態を表示する表示手段とを備え、前記端末機器は、集合住宅の各住戸に設置され、前記管理装置は、前記集合住宅の各住戸に設置された前記端末機器の前記稼働状態を検出するようにしたことを特徴とする構成を有している。
【００２０】
この構成により、管理装置は、集合住宅の各住戸に設置された端末機器の稼働状態を検出するので、異常が発生した端末機器および通信路を迅速に検出し、検出した結果を表示することができる。
【００２１】
また、本発明の機器異常表示システムは、ネットワークを介して前記管理装置と通信する通信手段と、前記稼働状態を表示する表示手段とを備えたサーバを備え、前記サーバの前記表示手段は、前記集合住宅の各住戸に設置された前記端末機器の前記稼働状態を表示するようにしたことを特徴とする構成を有している。
【００２２】
この構成により、サーバの表示手段は、集合住宅の各住戸に設置された端末機器の稼働状態を表示するので、管理装置から遠く離れた場所からでも異常が発生した端末機器および通信路を迅速に検出し、検出した結果を表示することができる。
【００２３】
【発明の実施の形態】
以下、本発明の実施の形態について、図面を参照して説明する。
【００２４】
（第１の実施の形態）
まず、本発明の第１の実施の形態の機器異常表示システムの構成について説明する。
【００２５】
図１に示すように、本実施の形態の機器異常表示システム１００は、通信路１０５に接続された端末機器１０１と、通信路１０５を介して端末機器１０１を管理する管理装置１１１とを有する。端末機器１０１は、識別情報を入力する識別情報入力手段１０２と、識別情報を記憶する識別情報記憶手段１０３と、管理装置１１１から送信された呼出信号を受信したとき、応答信号によって管理装置１１１に応答する応答手段１０４とを備えている。管理装置１１１は、識別情報を含む端末機器１０１の情報を登録した端末リストデータを記憶する端末リスト記憶手段１１３と、端末リストデータに登録された端末機器１０１の稼働状態を検出する稼働状態検出手段１１２と、稼働状態のデータを記憶する稼働状態記憶手段１１４と、稼働状態のデータを表示する表示手段１１５とを備えている。
【００２６】
なお、識別情報とは、管理装置１１１が端末機器１０１を識別するために各端末機器１０１に割り当てられた情報、例えば、ＩＤ（Ｉｄｅｎｔｉｆｉｃａｔｉｏｎ）番号をいう。
【００２７】
識別情報入力手段１０２は、例えば、ＣＰＵ、ＲＡＭ、ＲＯＭ、キーボード、および液晶ディスプレイ等により構成され、利用者がキーボード等を操作することによって識別情報が入力されるようになっている。また、識別情報記憶手段１０３は、例えば、不揮発性の半導体メモリにより構成され、端末機器１０１の電源がオフにされても認識情報を保持するようになっている。また、応答手段１０４および稼働状態検出手段１１２は、ＣＰＵ、ＲＡＭ、ＲＯＭ等により構成されている。応答手段１０４は、稼働状態検出手段１１２から送信された呼出信号を受信したとき、所定の応答信号を稼働状態検出手段１１２に返すようになっている。
【００２８】
稼働状態検出手段１１２は、端末リストデータに基づいて呼出信号を各端末機器１０１に順次送信し、応答信号の有無によって、端末機器１０１の稼働状態および端末機器１０１から管理装置１１１までの通信路１０５の稼働状態を検出するようになっている。具体的には、稼働状態検出手段１１２は、呼出信号を送信してから所定の時間が経過するまでに呼出信号を送信した端末機器１０１から応答信号を受け取った場合は、この端末機器１０１およびこの端末機器１０１から管理装置１１１までの通信路１０５は正常に動作している状態（以下、単に正常稼働状態という。）と判断する。一方、稼働状態検出手段１１２は、呼出信号を送信してから所定の時間が経過するまでに呼出信号を送信した端末機器１０１から応答信号を受け取らなかった場合、この端末機器１０１およびこの端末機器１０１から管理装置１１１までの通信路１０５の少なくとも一方は異常な動作をしている状態（以下、単に異常稼働状態という。）と判断する。なお、異常稼働状態は、端末機器１０１が故障している状態、端末機器１０１の電源がオフになっている状態、通信路１０５に断線、ショート等の異常が発生している状態等を含んでいる。
【００２９】
端末リスト記憶手段１１３および稼働状態記憶手段１１４は、半導体メモリまたは磁気記録媒体等により構成されている。端末リスト記憶手段１１３は、管理装置１１１に接続された端末機器１０１の情報、例えば、管理番号、識別情報、機種名、利用者名等の情報を記憶するようになっている。稼働状態記憶手段１１４は、各端末機器１０１の稼働状態のデータを記憶するようになっている。
【００３０】
表示手段１１５は、ＣＰＵ、ＲＡＭ、ＲＯＭ、発光ダイオード、画像処理回路、液晶ディスプレイ、音響増幅回路、スピーカ等により構成され、稼働状態記憶手段１１４に記憶された稼働情報を読み出して表示するようになっている。
【００３１】
次に、本実施の形態の機器異常表示システム１００の動作について、図１および図２を参照して説明する。
【００３２】
図２において、まず、稼働状態検出手段１１２によって、端末リスト記憶手段１１３に記憶された端末リストデータが読み出される（ステップＳ２０１）。次いで、稼働状態検出手段１１２によって、端末リストデータに記載された端末機器１０１の管理番号を示すｎが初期化され（ステップＳ２０２）、ｎ＝ｎ＋１の演算が実行される（ステップＳ２０３）。
【００３３】
引き続き、稼働状態検出手段１１２によって、管理番号がｎの端末機器１０１に呼出信号が送信される（ステップＳ２０４）。次いで、稼働状態検出手段１１２によって、管理番号がｎの端末機器１０１の稼働状態が判断される（ステップＳ２０５）。ここで、所定の時間内に、応答手段１０４からの応答信号を受信したとき、稼働状態検出手段１１２は、管理番号がｎの端末機器１０１の稼働状態は正常稼働状態であると判断する。一方、稼働状態検出手段１１２が、所定の時間内に、応答手段１０４からの応答信号を受信しなかったとき、稼働状態検出手段１１２は、管理番号がｎの端末機器１０１の稼働状態は異常稼働状態と判断する。
【００３４】
続いて、稼働状態記憶手段１１４によって、管理番号がｎの端末機器１０１の稼働状態のデータが記憶される（ステップＳ２０６）。次いで、表示手段１１５によって、管理番号がｎの端末機器１０１の稼働状態のデータが表示される（ステップＳ２０７）。次いで、稼働状態検出手段１１２によって、全端末機器１０１の稼働状態を検出したか否かが判断される（ステップＳ２０８）。
【００３５】
ステップＳ２０８において、全端末機器１０１の稼働状態を検出したと判断された場合は、稼働状態検出手段１１２によって、端末機器１０１の監視を続行するか否かが判断される（ステップＳ２０９）。一方、ステップＳ２０８において、全端末機器１０１の稼働状態を検出したと判断されなかった場合は、ステップＳ２０３に戻り、ｎがインクリメントされる。
【００３６】
ステップＳ２０９において、稼働状態検出手段１１２によって、端末機器１０１の監視を続行すると判断された場合は、ステップＳ２０２に戻り、ｎが初期化され、端末機器１０１の監視を続行すると判断されなかった場合は、処理を終了する。
【００３７】
なお、ステップＳ２０５において、稼働状態検出手段１１２によって、稼働状態に変化があったときのみステップＳ２０６およびステップＳ２０７を実行し、稼働状態のデータの書き込み回数および表示回数を減少させるように構成してもよい。
【００３８】
以上のように、本実施の形態の機器異常表示システム１００によれば、稼働状態検出手段１１２は、端末機器１０１および通信路１０５の稼働状態を検出する構成としたので、異常が発生した端末機器１０１および通信路１０５を迅速に検出し、検出した結果を表示手段１１５に表示することができる。
【００３９】
なお、本実施の形態の機器異常表示システム１００を集合住宅の端末機器の異常を検出するよう構成することによって、集合住宅において上述の効果と同様の効果を得ることができる。すなわち、端末機器１０１を集合住宅の各住戸、管理人室、および共同玄関等のインターホンとして設置し、管理装置１１１によって各インターホンの稼働状態を管理することができる。
【００４０】
（第２の実施の形態）
まず、本発明の第２の実施の形態の機器異常表示システムの構成について説明する。
【００４１】
なお、本実施の形態の機器異常表示システム３００の構成のうち、第１の実施の形態の機器異常表示システム１００の構成と同様である構成については、第１の実施の形態の機器異常表示システム１００の構成と同一の符号を付して詳細な説明を省略する。
【００４２】
図３に示すように、本実施の形態の機器異常表示システム３００の構成は、第１の実施の形態の機器異常表示システム１００に端末リスト編集手段３０２を備えた構成と同様である。
【００４３】
管理装置３０１に備えられた端末リスト編集手段３０２は、例えば、ＣＰＵ、ＲＡＭ、ＲＯＭ、キーボード、および液晶ディスプレイ等により構成され、利用者がキーボード等を操作することによって端末リストの情報が入力されるようになっている。
【００４４】
次に、本実施の形態の機器異常表示システム３００の動作について、図３から図５を参照して説明する。なお、本実施の形態の機器異常表示システム３００の動作のうち、第１の実施の形態の機器異常表示システム１００の動作と同様である動作については、詳細な説明を省略する。
【００４５】
図４に示されたステップＳ２０８において、全端末機器１０１の稼働状態を検出したと判断された場合は、稼働状態検出手段１１２によって、端末リストを編集するか否かが判断される（ステップＳ４０１）。例えば、稼働状態検出手段１１２が、端末リスト記憶手段１１３に記憶された端末リストデータに登録されていない端末機器１０１から何らかの信号を受け取ったとき、稼働状態検出手段１１２は、端末リストの編集を利用者に促すメッセージを表示手段１１５に表示するようになっている。なお、利用者が新たに端末機器１０１の台数を増減したとき、または、既存の端末機器１０１の識別情報を変更したとき等に、端末リスト編集手段３０２によって端末リストを編集するように構成してもよい。
【００４６】
ステップＳ４０１において、稼働状態検出手段１１２によって、端末リストを編集すると判断された場合は、端末リスト編集手段３０２によって、後述の端末リストデータ編集処理が実行される（ステップＳ４０２）。一方、稼働状態検出手段１１２によって、端末リストを編集すると判断されなかった場合は、稼働状態検出手段１１２によって、端末機器１０１の監視を続行するか否かが判断される（ステップＳ２０９）。
【００４７】
ステップＳ２０９において、稼働状態検出手段１１２によって、端末機器１０１の監視を続行すると判断された場合は、ステップＳ２０２に戻り、ｎが初期化され、端末機器１０１の監視を続行すると判断されなかった場合は、処理を終了する。
【００４８】
ここで、ステップＳ４０２において実行される端末リストデータ編集処理について説明する。
【００４９】
図５において、まず、利用者が端末リストデータを端末リスト編集手段３０２に入力することよって端末リストが編集される（ステップＳ５０１）。続いて、端末リスト記憶手段１１３によって、編集された端末リストが記憶される（ステップＳ５０２）。そして、稼働状態検出手段１１２によって、端末リストデータが読み出される（ステップＳ５０３）。すなわち、稼働状態検出手段１１２は、編集された新たな端末リストデータに基づいて端末機器１０１の稼働状態を検出することとなる。
【００５０】
次に、本実施の形態の他の態様について、図６を参照して説明する。
【００５１】
図６において、機器異常表示システム６００の各端末機器６０１は、端末リストデータを編集する端末リスト編集手段６０２をそれぞれ備えている。
【００５２】
したがって、利用者は、端末リスト編集手段６０２によって端末リストデータを編集し、稼働状態検出手段１１２は、編集された新たな端末リストデータに基づいて端末機器６０１の稼働状態を検出することとなる。
【００５３】
なお、管理装置１１１および端末機器６０１がそれぞれ端末リスト編集手段６０２を備える構成としてもよい。また、管理装置１１１と端末機器６０１との間の通信路１０５上に端末リスト編集手段６０２を備えた装置を設置し、この装置によって端末リストデータを利用者が編集する構成としてもよい。
【００５４】
以上のように、本実施の形態の機器異常表示システム３００によれば、端末リスト編集手段３０２は、端末リスト記憶手段１１３に記憶された端末リストデータを編集する構成としたので、利用者が、新たに端末機器１０１の台数を増減したとき、または、既存の端末機器１０１の識別情報を変更したとき等に、稼働状態検出手段１１２は、最新の端末リストデータに基づいて異常が発生した端末機器１０１および通信路１０５を迅速に検出し、検出した結果を表示手段１１５に表示することができる。
【００５５】
なお、本実施の形態の機器異常表示システム３００を集合住宅の端末機器の異常を検出するよう構成することによって、集合住宅において上述の効果と同様の効果を得ることができる。すなわち、端末機器１０１を集合住宅の各住戸、管理人室、および共同玄関等のインターホンとして設置し、管理装置３０１によって各インターホンの稼働状態を管理することができる。
【００５６】
（第３の実施の形態）
まず、本発明の第３の実施の形態の機器異常表示システムの構成について説明する。
【００５７】
なお、本実施の形態の機器異常表示システム７００の構成のうち、第１の実施の形態の機器異常表示システム１００の構成と同様である構成については、第１の実施の形態の機器異常表示システム１００の構成と同一の符号を付して詳細な説明を省略する。
【００５８】
図７に示すように、本実施の形態の機器異常表示システム７００の構成は、第１の実施の形態の機器異常表示システム１００の管理装置１１１に備えられた表示手段１１５に代えて送信手段７０３を備え、さらにサーバ７１１を備えた構成と同様である。
【００５９】
管理装置７０１に備えられた送信手段７０３は、例えば、ＣＰＵ、ＲＯＭ、ＲＡＭ等により構成され、稼働状態検出手段７０２から送信された所定の信号を受信したとき、ネットワーク７０４を介して稼働状態記憶手段１１４に記憶された稼働状態のデータをサーバ７１１に送信するようになっている。
【００６０】
サーバ７１１は、ネットワーク７０４を介して管理装置７０１と通信する通信手段７１２と、稼働状態のデータを記憶する稼働状態記憶手段７１３と、稼働状態のデータを表示する表示手段７１４とを備えている。
【００６１】
通信手段７１２は、ＣＰＵ，ＲＡＭ、ＲＯＭ、トランシーバ等で構成され、所定の通信プロトコルによって、ネットワーク７０４を介して管理装置７０１と通信するようになっている。稼働状態記憶手段７１３は、半導体メモリまたは磁気記録媒体等により構成されている。表示手段７１４は、ＣＰＵ、ＲＡＭ、ＲＯＭ、発光ダイオード、画像処理回路、液晶ディスプレイ、音響増幅回路、スピーカ等により構成され、稼働状態記憶手段７１３に記憶された稼働情報を読み出して表示するようになっている。
【００６２】
次に、本実施の形態の機器異常表示システム７００の動作について、図７から図９を参照して説明する。なお、本実施の形態の機器異常表示システム７００の動作のうち、第１の実施の形態の機器異常表示システム１００の動作と同様である動作については、詳細な説明を省略する。
【００６３】
図８に示されたステップＳ２０８において、全端末機器１０１の稼働状態を検出したと判断された場合は、稼働状態検出手段７０２によって、稼働状態のデータをサーバ７１１に送信するか否かが判断される（ステップＳ８０１）。例えば、稼働状態検出手段７０２が、異常稼働状態の端末機器１０１や、端末機器１０１の動作復旧等を検出したときは、この稼働状態のデータをサーバ７１１に送信するよう判断される。
【００６４】
ステップＳ８０１において、稼働状態検出手段７０２によって、稼働状態のデータをサーバ７１１に送信すると判断された場合は、後述の稼働状態データ処理が実行される（ステップＳ８０２）。一方、稼働状態検出手段７０２によって、稼働状態のデータをサーバ７１１に送信すると判断されなかった場合は、稼働状態検出手段７０２によって、端末機器１０１の監視を続行するか否かが判断される（ステップＳ２０９）。
【００６５】
ステップＳ２０９において、稼働状態検出手段７０２によって、端末機器１０１の監視を続行すると判断された場合は、ステップＳ２０２に戻り、ｎが初期化され、端末機器１０１の監視を続行すると判断されなかった場合は、処理を終了する。
【００６６】
ここで、ステップＳ８０２において実行される稼働状態データ処理について説明する。
【００６７】
図９において、まず、送信手段７０３によって、稼働状態記憶手段１１４に記憶された稼働状態のデータがサーバ７１１に送信される（ステップＳ９０１）。続いて、通信手段７１２によって、稼働状態のデータが受信される（ステップＳ９０２）。次いで、稼働状態記憶手段７１３によって、稼働状態のデータが記憶される（ステップＳ９０３）。そして、表示手段７１４によって、稼働状態のデータが表示される（ステップＳ９０４）。
【００６８】
以上のように、本実施の形態の機器異常表示システム７００によれば、送信手段７０３は、稼働状態のデータをサーバ７１１に送信し、サーバ７１１の表示手段７１４は、稼働状態検出手段７０２によって検出された端末機器１０１の稼働状態を表示する構成としたので、表示手段７１４は、サーバ７１１が管理装置７０１から遠く離れていても異常が発生した端末機器１０１および通信路１０５を迅速に検出し、検出した結果を表示することができる。
【００６９】
なお、本実施の形態の機器異常表示システム７００を集合住宅の端末機器の異常を検出するよう構成することによって、集合住宅において上述の効果と同様の効果を得ることができる。すなわち、端末機器１０１を集合住宅の各住戸、管理人室、および共同玄関等のインターホンとして設置し、管理装置７０１およびサーバ７１１によって各インターホンの稼働状態を管理することができる。
【００７０】
（第４の実施の形態）
まず、本発明の第４の実施の形態の機器異常表示システムの構成について説明する。
【００７１】
なお、本実施の形態の機器異常表示システム１０００の構成のうち、第３の実施の形態の機器異常表示システム７００の構成と同様である構成については、第３の実施の形態の機器異常表示システム７００の構成と同一の符号を付して詳細な説明を省略する。
【００７２】
図１０に示すように、本実施の形態の機器異常表示システム１０００の構成は、第３の実施の形態の機器異常表示システム７００に端末リスト編集手段１００２を備えた構成と同様である。
【００７３】
管理装置１００１に備えられた端末リスト編集手段１００２は、例えば、ＣＰＵ、ＲＡＭ、ＲＯＭ、キーボード、および液晶ディスプレイ等により構成され、利用者がキーボードを操作することによって端末リストの情報が入力されるようになっている。
【００７４】
次に、本実施の形態の機器異常表示システム１０００の動作について、図１０および図１１を参照して説明する。なお、本実施の形態の機器異常表示システム１０００の動作のうち、第３の実施の形態の機器異常表示システム７００の動作と同様である動作については、詳細な説明を省略する。
【００７５】
図１１に示されたステップＳ２０８において、稼働状態検出手段７０２によって、全端末機器１０１の稼働状態を検出したと判断された場合は、稼働状態検出手段７０２によって、端末リストを編集するか否かが判断される（ステップＳ４０１）。
【００７６】
ステップＳ４０１において、稼働状態検出手段７０２によって、端末リストを編集すると判断された場合は、端末リスト編集手段１００２によって、前述の端末リストデータ編集処理が実行される（ステップＳ４０２）。一方、稼働状態検出手段７０２によって、端末リストを編集すると判断されなかった場合は、稼働状態検出手段７０２によって、稼働状態のデータをサーバ７１１に送信するか否かが判断される（ステップＳ８０１）。例えば、稼働状態検出手段７０２が、異常稼働状態の端末機器１０１や、端末機器１０１の動作復旧等を検出したときは、この稼働状態のデータをサーバ７１１に送信するよう判断される。
【００７７】
ステップＳ８０１において、稼働状態検出手段７０２によって、稼働状態のデータをサーバ７１１に送信すると判断された場合は、前述の稼働状態データ処理が実行される（ステップＳ８０２）。一方、稼働状態検出手段７０２によって、稼働状態のデータをサーバ７１１に送信すると判断されなかった場合は、稼働状態検出手段７０２によって、端末機器１０１の監視を続行するか否かが判断される（ステップＳ２０９）。
【００７８】
ステップＳ２０９において、稼働状態検出手段７０２によって、端末機器１０１の監視を続行すると判断された場合は、ステップＳ２０２に戻り、ｎが初期化され、端末機器１０１の監視を続行すると判断されなかった場合は、処理を終了する。
【００７９】
次に、本実施の形態の他の態様について、図１２を参照して説明する。
【００８０】
図１２において、機器異常表示システム１２００の各端末機器６０１は、端末リストデータを編集する端末リスト編集手段６０２をそれぞれ備えている。
【００８１】
したがって、利用者は、端末リスト編集手段６０２によって端末リストデータを編集し、稼働状態検出手段７０２は、編集された新たな端末リストデータに基づいて端末機器６０１の稼働状態を検出することとなる。
【００８２】
なお、管理装置１００１および端末機器６０１がそれぞれ端末リスト編集手段６０２を備える構成としてもよい。また、管理装置１００１と端末機器６０１との間の通信路１０５上に端末リスト編集手段６０２を備えた装置を設置し、この装置によって端末リストデータを利用者が編集する構成としてもよい。
【００８３】
以上のように、本実施の形態の機器異常表示システム１０００によれば、端末リスト編集手段１００２は、端末リスト記憶手段１１３に記憶された端末リストデータを編集する構成としたので、稼働状態検出手段７０２は、最新の端末リストデータに基づいて異常が発生した端末機器１０１および通信路１０５を迅速に検出し、検出した結果をサーバ７１１に送信し、表示手段７１４に表示することができる。
【００８４】
なお、本実施の形態の機器異常表示システム１０００を集合住宅の端末機器の異常を検出するよう構成することによって、集合住宅において上述の効果と同様の効果を得ることができる。すなわち、端末機器１０１を集合住宅の各住戸、管理人室、および共同玄関等のインターホンとして設置し、管理装置１００１およびサーバ７１１によって各インターホンの稼働状態を管理することができる。
【００８５】
（第５の実施の形態）
まず、本発明の第５の実施の形態の機器異常表示システムの構成について説明する。
【００８６】
なお、本実施の形態の機器異常表示システム１３００の構成のうち、第４の実施の形態の機器異常表示システム１０００の構成と同様である構成については、第４の実施の形態の機器異常表示システム１０００の構成と同一の符号を付して詳細な説明を省略する。
【００８７】
図１３に示すように、本実施の形態の機器異常表示システム１３００の構成は、第４の実施の形態の機器異常表示システム１０００に表示手段１３０３を備えた構成と同様である。
【００８８】
管理装置１３０１に備えられた表示手段１３０３は、ＣＰＵ、ＲＡＭ、ＲＯＭ、発光ダイオード、画像処理回路、液晶ディスプレイ、音響増幅回路、スピーカ等により構成され、稼働状態記憶手段１１４に記憶された稼働情報を読み出して表示するようになっている。
【００８９】
次に、本実施の形態の機器異常表示システム１３００の動作について、図１３および図１４を参照して説明する。なお、本実施の形態の機器異常表示システム１３００の動作のうち、第４の実施の形態の機器異常表示システム１０００の動作と同様である動作については、詳細な説明を省略する。
【００９０】
図１４に示されたステップＳ２０６において、稼働状態記憶手段１１４によって、稼働状態のデータが記憶された後、表示手段１３０３によって、稼働状態のデータが表示される（ステップＳ２０７）。
【００９１】
したがって、管理装置１３０１の表示手段１３０３およびサーバ７１１の表示手段７１４の少なくとも一方によって、稼働状態検出手段７０２によって検出された稼働状態のデータが表示されることとなる。
【００９２】
なお、管理装置１３０１および端末機器１０１がそれぞれ端末リスト編集手段１３０２を備える構成としてもよい。また、管理装置１３０１と端末機器１０１の間の通信路１０５上に端末リスト編集手段１３０２を備えた装置を設置し、この装置によって端末リストデータを利用者が編集する構成としてもよい。
【００９３】
以上のように、本実施の形態の機器異常表示システム１３００によれば、管理装置１３０１は表示手段１３０３を備え、サーバ７１１は表示手段７１４を備える構成としたので、表示手段１３０３および表示手段７１４の少なくとも一方によって、稼働状態検出手段７０２によって検出された稼働状態のデータを表示することができる。
【００９４】
なお、本実施の形態の機器異常表示システム１３００を集合住宅の端末機器の異常を検出するよう構成することによって、集合住宅において上述の効果と同様の効果を得ることができる。すなわち、端末機器１０１を集合住宅の各住戸、管理人室、および共同玄関等のインターホンとして設置し、管理装置１３０１およびサーバ７１１によって各インターホンの稼働状態を管理することができる。
【００９５】
（第６の実施の形態）
まず、本発明の第６の実施の形態の機器異常表示システムの構成について説明する。
【００９６】
なお、本実施の形態の機器異常表示システム１５００の構成のうち、第２の実施の形態の機器異常表示システム３００の構成と同様である構成については、第２の実施の形態の機器異常表示システム３００の構成と同一の符号を付して詳細な説明を省略する。
【００９７】
図１５に示すように、本実施の形態の機器異常表示システム１５００の構成は、第２の実施の形態の機器異常表示システム３００に識別情報送信手段１５０２を備えた構成と同様である。
【００９８】
端末機器１５０１に備えられた識別情報送信手段１５０２は、例えば、ＣＰＵ、ＲＡＭ、ＲＯＭ、トランシーバにより構成され、利用者が入力した識別情報または識別情報記憶手段１０３に記憶された識別情報を通信路１０５に送信するようになっている。
【００９９】
次に、本実施の形態の機器異常表示システム１５００の動作について、図１５および図１６を参照して説明する。なお、本実施の形態の機器異常表示システム１５００の動作のうち、第２の実施の形態の機器異常表示システム３００の動作と同様である動作については、詳細な説明を省略し、識別情報送信手段１５０２の動作に係るステップのみ説明する。
【０１００】
図１６に示すように、まず、利用者が、識別情報入力手段１０２のキーボード等を操作することによって識別情報が入力される（ステップＳ１６０１）。次いで、識別情報記憶手段１０３によって、ステップＳ１６０１において入力された識別情報が記憶される（ステップＳ１６０２）。次いで、識別情報送信手段１５０２によって、識別情報記憶手段１０３に記憶された識別情報が読み出される（ステップＳ１５０３）。
【０１０１】
引き続き、識別情報送信手段１５０２によって、識別情報が通信路１０５に送信され（ステップＳ１６０４）、稼働状態検出手段１１２によって、識別情報が受信される（ステップＳ１６０５）。そして、端末リスト記憶手段１１３によって、識別情報が記憶される（ステップＳ１６０６）。
【０１０２】
したがって、管理装置３０１の稼働状態検出手段１１２は、識別情報送信手段１５０２によって送信された識別情報および端末リスト編集手段３０２によって編集された識別情報の少なくとも一方に基づいて、端末機器１５０１の稼働状態を検出することとなる。
【０１０３】
以上のように、本実施の形態の機器異常表示システム１５００によれば、識別情報送信手段１５０２は、端末機器１５０１の識別情報を通信路１０５に送信する構成としたので、稼働状態検出手段１１２は、識別情報送信手段１５０２によって送信された識別情報および端末リスト編集手段３０２によって編集された識別情報の少なくとも一方に基づいて、端末機器１５０１の稼働状態を検出することができる。
【０１０４】
なお、識別情報送信手段１５０２は、本発明の第２の実施の形態以外の実施の形態に適用しても同様の効果が得られる。
【０１０５】
また、本実施の形態の機器異常表示システム１５００を集合住宅の端末機器の異常を検出するよう構成することによって、集合住宅において上述の効果と同様の効果を得ることができる。すなわち、端末機器１５０１を集合住宅の各住戸、管理人室、および共同玄関等のインターホンとして設置し、管理装置３０１によって各インターホンの稼働状態を管理することができる。
【０１０６】
【発明の効果】
以上説明したように、本発明によれば、異常が発生した端末機器および通信路を迅速に検出し、検出した結果を表示することができる機器異常表示システムを提供することができる。
【図面の簡単な説明】
【図１】本発明の第１の実施の形態の機器異常表示システムのブロック図
【図２】本発明の第１の実施の形態の機器異常表示システムの各ステップのフローチャート
【図３】本発明の第２の実施の形態の機器異常表示システムのブロック図
【図４】本発明の第２の実施の形態の機器異常表示システムの各ステップのフローチャート
【図５】端末リストデータ編集処理のフローチャート
【図６】本発明の第２の実施の形態の他の態様の機器異常表示システムのブロック図
【図７】本発明の第３の実施の形態の機器異常表示システムのブロック図
【図８】本発明の第３の実施の形態の機器異常表示システムの各ステップのフローチャート
【図９】稼働状態データ処理のフローチャート
【図１０】本発明の第４の実施の形態の機器異常表示システムのブロック図
【図１１】本発明の第４の実施の形態の機器異常表示システムの各ステップのフローチャート
【図１２】本発明の第４の実施の形態の他の態様の機器異常表示システムのブロック図
【図１３】本発明の第５の実施の形態の機器異常表示システムのブロック図
【図１４】本発明の第５の実施の形態の機器異常表示システムの各ステップのフローチャート
【図１５】本発明の第６の実施の形態の機器異常表示システムのブロック図
【図１６】本発明の第６の実施の形態の機器異常表示システムの各ステップのフローチャート
【図１７】従来の経路案内装置のブロック図
【符号の説明】
１００、３００、６００、７００  機器異常表示システム
１０００、１２００、１３００、１５００  機器異常表示システム
１０１、６０１、１５０１  端末機器
１０２  識別情報入力手段
１０３  識別情報記憶手段
１０４  応答手段
１０５  通信路
１１１、３０１、７０１、１００１、１３０１  管理装置
１１２、７０２  稼働状態検出手段
１１３  端末リスト記憶手段
３０２、６０２、１００２、１３０２  端末リスト編集手段
１１４、７１３  稼働状態記憶手段
１１５、７１４、１３０３  表示手段
７０３  送信手段
７０４  ネットワーク
７１１  サーバ
７１２  通信手段
１５０２  識別情報送信手段
【図１】
2004260702.tif 000003
【図２】
2004260702.tif 000004
【図３】
2004260702.tif 000005
【図４】
2004260702.tif 000006
【図５】
2004260702.tif 000007
【図６】
2004260702.tif 000008
【図７】
2004260702.tif 000009
【図８】
2004260702.tif 000010
【図９】
2004260702.tif 000011
【図１０】
2004260702.tif 000012
【図１１】
2004260702.tif 000013
【図１２】
2004260702.tif 000014
【図１３】
2004260702.tif 000015
【図１４】
2004260702.tif 000016
【図１５】
2004260702.tif 000017
【図１６】
2004260702.tif 000018
【図１７】
2004260702.tif 000019